(57)【要約】【課題】灯具を提供することを課題とする。【解決手段】本発明は、筐体と弾性カバーと本体とを含む灯具を開示する。筐体は、開口部を備える。弾性カバーは、筐体の外表面を覆う。本体は、筐体に設けられ、基板と回転部材と係止機構と移動部材と連動部材と加力部材とを含む。回転部材は、基板に枢着され、開口部に位置する。移動部材は、基板に設けられ、また第１位置と第２位置との間を移動する。連動部材の両端は、各々回転部材及び移動部材に連結される。加力部材は、移動部材に連結される。加力部材が加力を受けた時、移動部材は第１位置から第２位置に移動し、連動部材が移動部材と一緒に第２位置に移動され、回転部材を基板から離れた方向に回転させ、回転部材が開口部から突出すると共に弾性カバーに押し付ける。【選択図】図１
2019121591.tif 000002
【特許請求の範囲】
【請求項１】
開口部と外表面とを備えた筐体と、
前記筐体の前記外表面を覆う弾性カバーと、
基板と、前記基板に枢着されると共に前記開口部に位置する回転部材と、前記基板に設けられた係止機構と、前記基板に設けられ、係合部を備え、また第１位置と第２位置との間を移動する移動部材と、第１端と第２端とを備え、前記第１端が前記回転部材に連結され、前記第２端が前記移動部材に連結される連動部材と、前記移動部材に連結され、加力部材が加力を受けた時、前記移動部材は前記第１位置から前記第２位置に移動し、かつ前記係合部が前記係止機構に係合され、前記連動部材の前記第２端が前記移動部材と一緒に前記第２位置に移動され、前記連動部材の前記第１端は前記回転部材を前記基板から離れた方向に回転させ、前記回転部材が前記開口部から突出すると共に前記弾性カバーに押し付ける加力部材と、を包括し、前記筐体に設けられた本体と、
を含むことを特徴とする、灯具。
【請求項２】
前記第１位置と前記回転部材との最短距離は、前記第２位置と前記回転部材との最短距離より短いことを特徴とする、請求項１に記載の灯具。
【請求項３】
前記本体は、前記基板に設けられた発光アセンブリを更に含み、前記発光アセンブリが互いにカップリングする発光ユニットとスイッチとを含み、前記スイッチが前記係止機構に隣接して設けられ、前記移動部材は前記第２位置に移動された際、一部の前記移動部材が前記スイッチをトリガーすることを特徴とする、請求項１又は２に記載の灯具。
【請求項４】
前記移動部材は、トリガー部を更に備え、前記第２位置に移動された際、前記トリガー部が前記スイッチに押し付けることを特徴とする、請求項３に記載の灯具。
【請求項５】
前記係合部及び前記トリガー部は、前記移動部材の対向する両側に位置し、かつ前記スイッチと前記係止機構が間隔をあけて設けられ、前記移動部材が前記係止機構と前記スイッチとの間を移動することを特徴とする、請求項４に記載の灯具。
【請求項６】
前記発光アセンブリは、導光板を更に含み、前記導光板が前記基板に設けられると共に前記筐体の前記開口部に対応することを特徴とする、請求項３に記載の灯具。
【請求項７】
前記回転部材は、各々前記回転部材の対向する両端を嵌め込む２つのねじりばねを更に備えることを特徴とする、請求項１〜６のいずれか一項に記載の灯具。
【請求項８】
前記加力部材が別の加力を受けた際、前記係合部は前記係止機構から脱離し、かつ前記ねじりばねの弾性力により前記回転部材を前記基板の方向に向けて回転させ、前記移動部材も前記連動部材の前記第２端と一緒に前記第１位置に移動することを特徴とする、請求項７に記載の灯具。
【請求項９】
前記筐体は、スライドレールを更に備え、かつ前記移動部材が前記スライドレール内に位置することを特徴とする、請求項１〜８のいずれか一項に記載の灯具。
【請求項１０】
前記本体は、副回転部材と少なくとも１個の連結部材とを更に含み、前記副回転部材が前記基板に枢着されると共に前記回転部材と平行に設けられ、前記連結部材は前記回転部材及び前記副回転部材に連結することを特徴とする、請求項１〜９のいずれか一項に記載の灯具。
【請求項１１】
前記連動部材は、硬質な棒体で、前記連結部材が線材であることを特徴とする、請求項１０に記載の灯具。
【発明の詳細な説明】
【技術分野】
【０００１】
本発明は、灯具に関するものである。
【背景技術】
【０００２】
従来の灯具は、主に天井に取り付けられ、又は卓上或いは地上に設置されるため、一定のスペースを占拠する。現在の壁灯若しくはダウンライトは、壁面に設けられることで空間を節約するという目的を達成できる。
【０００３】
壁灯は、比較的多様化されたデザインがあるが、不使用の時、やはり壁面上のライトの存在を直接意識してしまう。ダウンライトは、壁面内に取り付けることができ、不使用の時、その存在に気付かれにくい。しかしながら、ダウンライトを取り付ける前、先に壁の構造を壊す必要があり、かつ室内設計及び内装の時、事前に企画していなければならず、一般消費者が灯具を購入した後、自ら取り付けるという方法に比較的適していない。また、ダウンライトの外観が単調で、かつ壁灯或いはダウンライトを問わず、使用状態及び不使用状態においていずれも同じ構造であるため、使用上の面白さに欠ける。
【０００４】
よって、簡単かつ新規なデザインを通じて、空間を節約するという目的を達成できる以外に、使用状態、不使用状態に異なる構造となることで、使用上の面白さを実現する灯具をどのように設計するかが、灯具設計業者の重要な課題の一つとなっていた。
【発明の概要】
【発明が解決しようとする課題】
【０００５】
上記課題に鑑み、本発明の主な目的は、本体と弾性カバーとを含み、かつ本体が回転部材を備え、点灯時、回転部材が回転すると共に弾性カバーに押し付けることで、従来の灯具に使用上の面白さに欠ける問題を解決する灯具を提供することである。
【課題を解決するための手段】
【０００６】
上記目的を達成するため、本発明は、筐体と弾性カバーと本体とを含む灯具を提供する。筐体は、開口部と外表面とを備える。弾性カバーは、筐体の外表面を覆う。本体は、筐体に設けられ、基板と回転部材と係止機構と移動部材と連動部材と加力部材とを含む。回転部材は、基板に枢着されると共に開口部に位置する。係止機構は、基板に設けられる。移動部材は、基板に設けられ、係合部を備え、また第１位置と第２位置との間を移動する。連動部材は、第１端と第２端とを備え、第１端が回転部材に連結され、第２端が移動部材に連結される。加力部材は、移動部材に連結される。加力部材が加力を受けた時、移動部材は第１位置から第２位置に移動し、かつ係合部が係止機構に係合され、連動部材の第２端が移動部材と一緒に第２位置に移動され、連動部材の第１端は回転部材を基板から離れた方向に回転させ、回転部材が開口部から突出すると共に弾性カバーに押し付ける。
【０００７】
本発明の一実施例によれば、第１位置と回転部材との最短距離は、第２位置と回転部材との最短距離より短い。
【０００８】
本発明の一実施例によれば、本体は、基板に設けられた発光アセンブリを更に含み、発光アセンブリが互いにカップリングする発光ユニットとスイッチとを含み、スイッチが係止機構に隣接して設けられ、移動部材は第２位置に移動された際、一部の移動部材がスイッチをトリガーする。
【０００９】
本発明の一実施例によれば、移動部材は、トリガー部を更に備え、第２位置に移動された際、トリガー部がスイッチに押し付ける。
【００１０】
本発明の一実施例によれば、係合部及びトリガー部は移動部材の対向する両側に位置し、かつスイッチと係止機構が間隔をあけて設けられ、移動部材が係止機構とスイッチとの間を移動する。
【００１１】
本発明の一実施例によれば、発光アセンブリは、導光板を更に含み、導光板が基板に設けられると共に筐体の開口部に対応する。
【００１２】
本発明の一実施例によれば、回転部材は、各々回転部材の対向する両端を嵌め込む２つのねじりばねを更に備える。
【００１３】
本発明の一実施例によれば、加力部材が別の加力を受けた際、係合部は係止機構から脱離し、かつねじりばねの弾性力により回転部材を基板の方向に向けて回転させ、移動部材も連動部材の第２端と一緒に第１位置に移動する。
【００１４】
本発明の一実施例によれば、筐体は、スライドレールを更に備え、かつ移動部材がスライドレール内に位置する。
【００１５】
本発明の一実施例によれば、本体は、副回転部材と少なくとも１個の連結部材とを更に含み、副回転部材が基板に枢着されると共に回転部材と平行に設けられ、連結部材は回転部材及び副回転部材に連結する。
【００１６】
本発明の一実施例によれば、連動部材は、硬質な棒体で、該連結部材が線材である。
【発明の効果】
【００１７】
本発明に係る灯具は、使用者が点灯しようとした時、加力部材に力をかけると、移動部材を第１位置から第２位置に移動させることができ、連動部材は移動部材と一緒に第２位置に移動すると共に回転部材を基板から離れた方向に回転させ、回転部材が開口部から突出して弾性カバーに押し付けることで、立体構造を形成する。また、係合部は係止機構に係合することで、立体構造を保持する。よって、使用（点灯）の時、灯具の表面は、弾性カバーが凸起する立体構造となり、不使用（消灯）の時、灯具の表面が平坦な弾性カバーであることで、形の変化により、使用上の面白さを実現する。
【図面の簡単な説明】
【００１８】
【図１】本発明の一実施例に係る灯具の分解図である。
【図２Ａ】図１に示す本体の模式図である。
【図２Ｂ】図２Ａに示す本体の部分拡大図である。
【図３】図１に示す灯具を組み立てた後の部分断面図である。
【図４Ａ】図２Ａに示す移動部材が第２位置に移動された場合の模式図である。
【図４Ｂ】図４Ａに示す本体の部分拡大図である。
【図５】図１に示す灯具を組み立てた後、使用状態にある部分断面図である。
【発明を実施するための形態】
【００１９】
本発明の技術内容を更に理解してもらうため、以下に好ましい実施例を挙げて説明する。
【００２０】
図１を参照すると、本発明の一実施例に係る灯具の分解図である。本実施例において、灯具１は、本体１０と筐体２０と弾性カバー３０とを含む。本体１０は、主要作動のエレメントを含み、筐体２０が対向する内表面２１と外表面２２とを備え、本体１０に設けられ、内表面２１を本体１０に対応させる。筐体２０の外表面２２は、平滑な表面であり、弾性カバー３０が筐体２０の外表面２２を覆う。好ましくは、弾性カバー３０は、弾性を持つ光透過可能な布地、例えばライクラ生地であり、灯具１が使用（点灯）状態にある時、弾性カバー３０は、立体態様となると共に光を透過でき、その詳細な内容は後記で更に説明する。
【００２１】
図１、図２Ａ及び図２Ｂを参照すると、図２Ａは、図１に示す本体の模式図であり、図２Ｂが図２Ａに示す本体の部分拡大図である。本実施例において、本体１０は、基板１１と回転部材１２と係止機構１３と移動部材１４と連動部材１５と加力部材１６と発光アセンブリ１７と、を含む。回転部材１２は、基板１１に枢着される。具体的に言うと、本実施例の回転部材１２は、線状支持具であると共に円弧形或いは半円形を呈し、その他の構造としてもよく、本発明では制限しない。回転部材１２の対向する両端は、折り曲げられて枢軸部１２１を形成し、枢軸部１２１が基板１１に連結し、回転部材１２全体が枢軸部１２１を軸にして基板１１に対して回転させることができる。また筐体２０は、開口部２３を更に備え、本体１０が筐体２０に設けられ、回転部材１２が開口部２３に位置し、回転部材１２の回転過程で、筐体２０に邪魔されることなく、開口部２３から突出できる（図５）。
【００２２】
好ましくは、回転部材１２は、２つのねじりばね１２２を更に備え、２つのねじりばね１２２が各々回転部材１２の対向する両端を嵌め込み、すなわち、枢軸部１２１を嵌め込む。具体的に言うと、基板１１は、固定部１１１を更に含み、ねじりばね１２２の一端が基板１１に固定され、本実施例では基板１１上の固定部１１１に固定され、ねじりばね１２２の他端が回転部材１２に連結されることで、回転部材１２に復元力を提供し、その詳細な内容は、後記で更に説明する。
【００２３】
本実施例において、回転部材１２の作動は、移動部材１４、連動部材１５及び加力部材１６を通じて共同で実現する。まず、移動部材１４は、基板１１に設けられると共に基板１１上において移動できる。好ましくは、筐体２０は、スライドレール２４（図１）を更に備え、筐体２０が本体１０に設けられた後、移動部材１４がスライドレール２４内に位置し、またスライドレール２４内を移動できる。本実施例のスライドレール２４は、筐体２０を貫通する貫通孔であり、他の実施例において、筐体２０の内表面２１に溝が形成されてもよく、本発明では制限されない。また、連動部材１５は、第１端１５１と第２端１５２（図２Ｂ）とを備え、第１端１５１が回転部材１２に連結され、第２端１５２が移動部材１４に連結される。移動部材１４が移動した時、連動部材１５は、基板１１に対して回転する力を回転部材１２に提供できる。また、移動部材１４は、連動部材１５と互いに連結する以外に、移動部材１４の他端が加力部材１６に更に連結されることで、使用者が加力部材１６に対し力をかけることができる。本発明は、加力部材１６の構造及び材質を限定するものではなく、使用者が力をかけやすい紐状物とすることが好ましく、例えば綿紐、ナイロン紐、革紐、チェーン或いはそれらの組み合わせであるがこれに限定されるものではない。
【００２４】
使用者が加力部材１６に力をかけた時、移動部材１４を基板１１上（すなわち、スライドレール２４内）において移動させることができる。明確に説明するため、本実施例は、移動部材１４が第１位置Ｐ１と第２位置Ｐ２との間を移動するのを例として説明し、図２Ａ及び図２Ｂも移動部材１４が第１位置Ｐ１にある時の模式図である。灯具１が不使用（すなわち、消灯状態）の時、移動部材１４は、第１位置Ｐ１に位置する。この時、図３に示すように回転部材１２は、実質的に基板１１と互いに平行となり、かつ筐体２０の開口部２３内に収容されるため、灯具１の表面が平坦な弾性カバー３０である。図３は、図１に示す灯具を組み立てた後の不使用状態にある時の部分断面図である。
【００２５】
使用者が点灯しようとした時、図４Ａ、図４Ｂ及び図５に示すように、加力部材１６を引っ張るだけで、加力部材１６が下向きに引っ張る力を受けた時、移動部材１４を第１位置Ｐ１から第２位置Ｐ２に移動させる。図４Ａは、図２Ａに示す移動部材が第２位置に移動された場合の模式図であり、図４Ｂが図４Ａに示す本体の部分拡大図であり、図５が図１に示す灯具を組み立てた後、使用状態にある部分断面図である。第１位置Ｐ１の説明に関しては、図２Ａ、図２Ｂ及び図３を参照する。第２位置Ｐ２の説明に関しては、図４Ａ、図４Ｂ及び図５を参照する。移動部材１４が移動した時、連動部材１５の第２端１５２は移動部材１４と一緒に第２位置Ｐ２に移動する（図４Ｂ）。同時に、連動部材１５の第１端１５１は、基板１１に対して回転する力を回転部材１２に提供でき、すなわち、回転部材１２を基板１１から離れた方向に回転させ、かつ回転部材１２が筐体２０の開口部２３から突出すると共に筐体２０外側の弾性カバー３０（図５）に押し付けることができる。言い換えると、回転部材１２は基板１１に垂直する方向に向けて回転した後、開口部２３を貫通して弾性カバー３０に直接押し付け、弾性カバー３０が外方に向けて凸起する立体構造を生じさせる。
【００２６】
本実施例において、第１位置Ｐ１と回転部材１２との最短距離は、第２位置Ｐ２と回転部材１２との最短距離より短く、すなわち、第１位置Ｐ１が第２位置Ｐ２より回転部材１２に近い。図面の方向を例にすると、第１位置Ｐ１、第２位置Ｐ２は回転部材１２の下方にあり、かつ第２位置Ｐ２が第１位置Ｐ１の下方にある。よって、使用者は、加力部材１６を下向きに引っ張ることにより、移動部材１４を第１位置Ｐ１から第２位置Ｐ２に移動させ、連動部材１５も下向きに移動すると同時に回転部材１２を下向きに引っ張ることで、回転部材１２を基板１１に垂直になるように回転させる。
【００２７】
移動部材１４を第２位置Ｐ２に保持させ、並びに弾性カバー３０を外方へ凸起させる立体構造を維持するため、移動部材１４は、係合部１４１（図２Ｂ）を備え、かつ係止機構１３が基板１１に設けられると共に第２位置Ｐ２の付近に位置する。よって、移動部材１４が第２位置Ｐ２に移動した際、係合部１４１は係止機構１３に係合されることで、移動部材１４を第２位置Ｐ２に保持させ、同時に弾性カバー３０を外方へ凸起する立体構造を維持させることができる。
【００２８】
また、発光アセンブリ１７も基板１１に設けられる。本実施例の発光アセンブリ１７は、互いにカップリングする発光ユニット１７１とスイッチ１７２とを含み、スイッチ１７２が係止機構１３に隣接して設けられる。よって、移動部材１４が第２位置Ｐ２に移動した際、弾性カバー３０に外方へ凸起する立体構造を生じさせる以外に、一部の移動部材１４がスイッチ１７２を更にトリガーすることで、発光ユニット１７１を起動させ、同時に点灯の機能を実現できる。本実施例において、移動部材１４は、トリガー部１４２を更に備え、係合部１４１及びトリガー部１４２が移動部材１４の対向する両側に位置することが好ましい。また、スイッチ１７２と係止機構１３が間隔をあけて設けられ、ここで移動部材１４の移動ルートの間隔を指し、すなわち、スイッチ１７２及び係止機構１３がスライドレール２４の対向する両側に位置し、移動部材１４を係止機構１３とスイッチ１７２との間を移動させる。移動部材１４が第２位置Ｐ２に移動した際、トリガー部１４２を介してスイッチ１７２に押し付けて発光ユニット１７１を起動し、係合部１４１が係止機構１３に固定され、更に灯具１を点灯及び立体（弾性カバー３０が外方へ凸起する）の状態に維持させることができる。
【００２９】
また、本発明は、発光ユニット１７１のタイプを制限せず、例えば白熱灯、蛍光灯又は発光ダイオード（Ｌｉｇｈｔ−Ｅｍｉｔｔｉｎｇ  Ｄｉｏｄｅ、ＬＥＤ）等が挙げられるがこれに限定されず、発光ダイオードを本実施例の発光ユニット１７１として使用できることが好ましい。好ましくは、発光アセンブリ１７は、基板１１に設けられた導光板１７３を更に備え、本実施例では固定部１１１を介して導光板１７３を基板１１に固定する。導光板１７３の一側は、発光ユニット１７１に連結し、かつ設置位置が開口部２３に対応し、発光ユニット１７１に発した光が導光板１７３を通じて出射でき、また開口部２３及び光透過材質の弾性カバー３０を順次透過する。好ましくは、弾性カバー３０も様々なパターンを具えることができ、発光ユニット１７１の光が弾性カバー３０を透過した時、様々な異なる変化を演出できる。
【００３０】
好ましくは、本実施例の係止機構１３は、プッシュプッシュ型（ｐｕｓｈ−ｐｕｓｈ）係止機構とすることができ、係合部１４１と係止機構１３とが係合した後、加力部材１６が別の加力（すなわち、使用者がもう一度加力部材１６に力をかける）を更に受けた時、係合部１４１は係止機構１３から脱離できる。この時、ねじりばね１２２の弾性力により回転部材１２を基板１１の方向に向けて回転させ、移動部材１４が連動部材１５の第２端１５２と一緒に第１位置Ｐ１に移動され、すなわち、消灯状態に戻る。具体的に言うと、移動部材１４が第１位置Ｐ１にある時、回転部材１２は、基板１１に平行となることで、ねじりばね１２２が力を受けていない自由な状態となり；連動部材１５が移動部材１４と一緒に第２位置Ｐ２に移動した時、回転部材１２が基板１１に垂直になることで、ねじりばね１２２が力を受け、かつ圧縮された状態となる。本実施例では、係合部１４１を介して係止機構１３と互いに係合し、移動部材１４を第２位置Ｐ２に保持させ、またねじりばね１２２が力を受けることで圧縮された状態を維持させる。よって、係合部１４１が係止機構１３から脱離した時、ねじりばね１２２が力を受けていない自由な状態に戻ると同時に、回転部材１２に基板１１に平行となることに戻る弾性力を提供できる。同時に、連動部材１５は、更に移動部材１４を第１位置Ｐ１に引き戻す。
【００３１】
言及すべき点は、本発明は、連動部材１５の構造及び材質を限定するものではなく、回転部材１２が基板１１から離れた方向に移動した時、ねじりばね１２２に力をかけなければならないため、連動部材１５は好ましくは例えば金属材質の棒体のような硬質な棒体としてもよい。また、連動部材１５の第１端１５１及び第２端１５２は、回転部材１２の回転動作に合わせるため、枢着方式で各々回転部材１２及び移動部材１４に連結できる。
【００３２】
また、本実施例の灯具１は、壁面或いは例えば家具の表面等の他の平面に直接取り付けることができ、好ましくは加力部材１６が下方に位置して自然に吊り下げさせることができる。不使用（消灯）の時、灯具１の表面が平坦な弾性カバー３０となり、使用（点灯）したい時、加力部材１６を下向きに引っ張った後、弾性カバー３０が凸起して立体構造となり、この形態上の変化を通じて使用上の面白さを実現する。
【００３３】
好ましくは、本実施例の本体１０は、副回転部材１８と少なくとも１個の連結部材１９とを更に含み、副回転部材１８が基板１１に枢着されると共に連結部材１９を介して回転部材１２及び副回転部材１８に連結し、副回転部材１８を回転部材１２と連動させることができる。本実施例において、副回転部材１８は、回転部材１２と同じように円弧形で、副回転部材１８のサイズが回転部材１２より小さく、かつ副回転部材１８が回転部材１２に平行となるよう設けられる。また、本実施例の連結部材１９は、線材を例に説明すると、綿紐、ナイロン紐或いは革紐等の線材としてもよい。図２Ａ及び図４Ａに示すように、線材の連結部材１９は、回転部材１２及び副回転部材１８を巻き付ける方式により回転部材１２及び副回転部材１８に連結することができる。好ましくは、回転部材１２及び副回転部材１８は、連結部材１９の巻き付けに供するため、各々止め輪１２３、止め輪１８１を備え、連結部材１９がスナップファスナー１９１を更に備える。本実施例は、線材の連結部材１９を各々止め輪１２３、止め輪１８１に一周巻いてからスナップファスナー１９１で固定する。
【００３４】
移動部材１４が第２位置Ｐ２に移動し、連動部材１５は回転部材１２を基板１１から離れた方向に回転させた時、連結部材１９を通じて副回転部材１８に力をかけて副回転部材１８も同時に基板１１から離れた方向に向けて回転させる。回転部材１２と副回転部材１８は、いずれも開口部２３から突き抜けると共に弾性カバー３０に押し付け、弾性カバー３０を半分の円錐台の立体構造（図５）を形成させる。
【００３５】
好ましくは、副回転部材１８と基板１１との枢着部位にもねじりばねを嵌め込み、その設置及び力を受ける方式が回転部材１２のねじりばね１２２と同じである。これにより、係合部１４１が係止機構１３から脱離した時、副回転部材１８を嵌め込んでいるねじりばねも副回転部材１８に弾性力を提供して副回転部材１８を基板１１に平行となる状態に戻すことができる。
【００３６】
言及すべき点は、本発明は、副回転部材１８の構造を制限することなく、回転部材１２と同じでも異なっていてもよく、また回転部材１８の数量及び設置位置も制限することなく、弾性カバー３０に押し付けた後で形成したい立体構造によって調整できる。本発明は、連結部材１９の構造及び材質を制限することなく、同様に形成したい立体構造によって調整でき、本実施例の連結部材１９は気付かない線材を例にしている。具体的に言うと、線材の材質は、柔軟で、回転部材１２と副回転部材１８が弾性カバー３０に押し付けた時、弾性カバー３０の表面から線材の連結部材１９の存在を気付くにくい。その他の実施例において、筐体２０に収容溝（図示せず）が形成されることができ、かつ連結部材１９が収容溝内に移動可能に設けられることで、連結部材１９の構造が弾性カバー３０の表面に現れるのを防止できる。
【００３７】
上記をとりまとめ、本発明に係る灯具は、使用者が点灯しようとした時、加力部材に力をかけると、移動部材を第１位置から第２位置に移動させることができ、連動部材は移動部材と一緒に第２位置に移動すると共に回転部材を基板から離れた方向に回転させ、回転部材が開口部から突出して弾性カバーに押し付けることで、立体構造を形成する。また、係合部は係止機構に係合することで、立体構造を保持する。よって、使用（点灯）の時、灯具の表面は、弾性カバーが凸起する立体構造となり、不使用（消灯）の時、灯具の表面が平坦な弾性カバーであることで、形の変化により、使用上の面白さを実現する。
【００３８】
また、本発明に係る灯具は、主に本体と筐体と弾性カバーとから成り、壁面に直接設けられることができ、かつ不使用（消灯）の時、灯具の表面が平坦な弾性カバーであり、更に空間を節約する効果を奏する。
【００３９】
ここで留意すべき点は、上述になされた実施例があくまでも本発明の技術内容を明らかにするものであって、そのような具体例に限定して解釈されるべきものではなく、本発明が主張する権利範囲は、特許請求の範囲での記載を基準とする。
【符号の説明】
【００４０】
１        灯具
１０      本体
１１      基板
１１１    固定部
１２      回転部材
１２１    枢軸部
１２２    ねじりばね
１２３    止め輪
１３      係止機構
１４      移動部材
１４１    係合部
１４２    トリガー部
１５      連動部材
１５１    第１端
１５２    第２端
１６      加力部材
１７      発光アセンブリ
１７１    発光ユニット
１７２    スイッチ
１７３    導光板
１８      副回転部材
１８１    止め輪
１９      連結部材
１９１    スナップファスナー
２０      筐体
２１      内表面
２２      外表面
２３      開口部
２４      スライドレール
３０      弾性カバー
Ｐ１      第１位置
Ｐ２      第２位置
【図１】
2019121591.tif 000003
【図２Ａ】
2019121591.tif 000004
【図２Ｂ】
2019121591.tif 000005
【図３】
2019121591.tif 000006
【図４Ａ】
2019121591.tif 000007
【図４Ｂ】
2019121591.tif 000008
【図５】
2019121591.tif 000009